(57)【要約】【課題】被照射面に照射する光の色を変えることなく、簡易に空間の温熱感を変化することができる照明器具を提供する。【解決手段】器具本体１が被照射面に光を照射するランプ５を有する。補助光源６は発光色が可変であり、器具本体１に設けられて被照射面の色の見え方に影響しない光出力で器具本体１の内面にランプ５の発光色と異なる色光を照射する。補助光源６はその直接光を照明器具の外部に出すことなく照明器具の反射板４や反射面を照射する。  なお、補助光源でルーバを照射したり、補助光源の直射光の一部を照明器具の下方より視認できるように配置することができる。【選択図】        図１
2006100055.tif 000002
【特許請求の範囲】
【請求項１】
被照射面に光を照射する主光源を有する器具本体と、この器具本体に設けられて前記被照射面の色の見え方に影響しない光出力で前記器具本体に前記主光源の発光色と異なる色光を照射する発光色可変の補助光源とを備えた照明器具。
【請求項２】
前記補助光源はその直接光を前記照明器具の外部に出すことなく前記照明器具の反射板またはルーバを照射する請求項１記載の照明器具。
【請求項３】
前記補助光源はその直射光の一部を前記照明器具の斜め下方より視認できるように配置されている請求項１記載の照明器具。
【発明の詳細な説明】
【技術分野】
【０００１】
この発明は、照明器具に関するものである。
【背景技術】
【０００２】
光源の色温度によって例えば暖かい、涼しい、冷たいなどの人間の受ける温熱感が変わることや、喜び、安らぎ、沈静など色光に対する人間の感情の性質等は既に知られている。
【０００３】
従来、室内空間の温熱感を変化させるため、主たる照明器具の光源の色光を変えたり、複数の発光色の異なる光源によって各光源の出力を変えながら混色していた（例えば特許文献１参照）。これによって、例えば夏であれば光源を寒色系の色にして清涼感を出すことができ、冬であれば光源を暖色系の色にして暖か味を出すことができる。
【特許文献１】特開平７−８５７１０号公報
【発明の開示】
【発明が解決しようとする課題】
【０００４】
ところが、照明器具から照射される光色が変わるため、被照射面の色の見え方が変化する。そのため、室内空間の温熱感を変化させるときは被照射面の色の見え方まで変えなければならず、被照射面の色の見え方を変えずに温熱感を変えることができないという問題があった。すなわち、被照射面の色の見え方が変わると不都合となる、例えば店舗内照明や、オフィス内照明には不向きであった。
【０００５】
したがって、この発明の目的は、被照射面の色の見え方を極力変えることなく、簡易に空間の温熱感を変化することができる照明器具を提供することである。
【課題を解決するための手段】
【０００６】
この発明の照明器具は、器具本体が被照射面に光を照射する主光源を有する。補助光源は発光色可変であり、前記器具本体に設けられて前記被照射面の色の見え方に影響しない光出力で前記器具本体に前記主光源の発光色と異なる色光を照射するものである。
【０００７】
上記構成において、前記補助光源はその直接光を前記照明器具の外部に出すことなく前記照明器具の反射板またはルーバを照射する。
【０００８】
上記構成において、前記補助光源はその直射光の一部を前記照明器具の斜め下方より視認できるように配置されている。
【発明の効果】
【０００９】
この発明の照明器具によれば、被照射物に照射する光の色を変えることなく、照明器具の発光部分の見た目の色を変えることで温熱感を変えることができる。
【発明を実施するための最良の形態】
【００１０】
この発明の第１の実施の形態を図１により説明する。すなわち、この照明器具は、器具本体１が天板２と、天板２の両側より垂下した側板３と、天板２の両端より垂下した端板とにより構成され、側板３は下端側の相互間隔が上端側よりも大きくなるように傾斜し、側板３および端板の内面は反射面を兼ねている。また、天板２の下面中央に断面Ｖ字形の反射板４を取付け、側板３と反射板４との間にそれぞれ主光源となる直管ランプ５を配置し、器具本体１に設けたランプソケット（図示せず）に装着している。
【００１１】
補助光源６は、直管ランプ５による被照射面の色の見え方に影響しない光出力を有する、例えばＬＥＤ（発光ダイオード）を用いており、器具本体１の両側板３の下端部に沿って多数設けられている。補助光源６は例えば赤色と青色など種々の発光色のＬＥＤを使用し、これらをスイッチで切り換えることよって発光色を変えることができる。補助光源６は反射板４と側板３の相対向する内面のうち直管ランプ５の照明空間にいる人が見ることのできる範囲Ａ、Ｂを照射するように照射方向（一点鎖線）を向けている。
【００１２】
この実施の形態によれば、照明器具を用いて被照射面に直管ランプ５による単色の光を照射し、補助光源６を用いて照明器具に色光を照射することにより、被照射物に照射する直管ランプ５による光の色を変えずに、照明器具の発光部分の見た目の色を変えることができる。例えば反射板４に補助光源６で赤色の光を照射して照明器具の近くにいる人に暖かさを感じさせたり、青色の光を照射して冷たさや涼しさを感じさせることで雰囲気（温熱感）を変えることができる。この場合、補助光源６によって、照明器具の内部が全体的に変色するので、より違和感の少ない状態で空間の温熱感を変化することができる。
【００１３】
この発明の第２の実施の形態を図２により説明する。すなわち、この照明器具は、器具本体１が幅広タイプであり、天板２の内面に２本の反射板４を並べて設け、側板３と反射板４の間および２本の反射板４の間にそれぞれ主光源として片口金ランプ５ａを配置している。ＬＥＤを用いた１群の補助光源６は第１の実施の形態と同様に器具本体１の両側板３の下端部に配置し、側板３の反射面および反射板４の側板３に面した反射面のうちの片口金ランプ５ａの照明空間にいる人が見ることのできる範囲Ａ、Ｂを照射し、他の１群のＬＥＤを用いた補助光源６ａは反射板４間で天板２の反射板４の近傍に配置し、２本の反射板４の対向する反射面のうち、主光源による照明空間にいる人が見ることのできる範囲Ｂを照射している。いずれの群の補助光源６、６ａも第１の実施の形態と同様に種々の発光色をもつＬＥＤを有し、ＬＥＤを切り換えることによって発光色を変えることができる。
【００１４】
この発明の第３の実施の形態を図３により説明する。すなわち、この照明器具は、第１の実施の形態と同様な形状の天板２および側板３からなる器具本体１の開口部にルーバ７を設けている。４は第１の実施の形態と同様に、天板２の中央に設けた反射板、５は反射板４と側板３との間に配置した主光源である直管ランプである。
【００１５】
補助光源６は、ルーバ７を構成するルーバ片７ａ、７ｂのうち横ルーバ片７ｂおよび外側の縦ルーバ片７ａの各上端部に設けられ、相対向する横ルーバ片７ｂの表面および内側の縦ルーバ片７ａを照射している。照射範囲は直管ランプ５の照明空間にいる人がルーバ片７ａ、７ｂの見える範囲である。
【００１６】
第３の実施の形態によれば、第１の実施の形態と同様な作用効果がある。
【００１７】
この発明の第４の実施の形態を図４により説明する。すなわち、この照明器具は、ルーバ付でかつ広幅タイプであり、第２の実施の形態と同様に反射板４が２本あり、主光源の片口金ランプ５ａはランプソケット８に装着されている。またルーバ７の縦ルーバ片７ａおよび横ルーバ片７ｂをともに４本の構成としている。補助光源６は第３の実施の形態に加えて内側の２本の縦ルーバ片７ａにも設け、２本の縦ルーバ片７ａの相互の対向面を照射している（矢印）。その他は第３の実施の形態と同様である。
【００１８】
この発明の第５の実施の形態を図５により説明する。すなわち、この照明器具は、第３の実施の形態と共通するが、補助光源６はそれぞれが取付けられているルーバ片７ａ、７ｂの表面を照射する点が異なる。その照射範囲を符号Ｃまたは斜線で表しており、主光源の照射方向にいる人の見ることができる範囲を照明している。
【００１９】
この発明の第６の実施の形態を図６により説明する。すなわち、この照明器具は、第４の実施の形態と共通するが、第５の実施の形態と同様、補助光源６が取付けられているルーバ片７ａ、７ｂの表面を照射する点が異なる。
【００２０】
この発明の第７の実施の形態を図７により説明する。すなわち、この照明器具は、ダウンライトタイプであリ、有天筒状で内面を反射面とした器具本体１ａの天部にランプソケット８を設け、これに主光源のランプ５ｂを装着している。補助光源６のＬＥＤは、器具本体１ａの開口縁に複数設け、照射方向が図７（ａ）および図７（ｂ）に示すようにランプ５ｂを回避するように反射面を一点鎖線のように照射し、効率のよい照射を行っている。上記実施の形態でも説明したように、補助光源６で照射する反射面の部分は照明空間にいる人が見ることのできる範囲である。また、補助光源６は発光色を種々の色に変えることができ、その色によって雰囲気を変化することができる。
【００２１】
この発明の第８の実施の形態を図８により説明する。すなわち、この照明器具は、第１の実施の形態と共通し、補助光源６の一部の直射光１０が矢印のように器具外部に出るようになっている点が異なる。なお、図８（ｂ）の下方に向く矢印は真下ではなく、図８（ａ）のように照明器具を離れたところすなわち斜め下方から観測する人に視認できるようにしている。
【００２２】
補助光源６の一部の直射光１０を器具外部に出すようにすることで、照明器具を見たときの温熱感が色光の変化により一層変わりやすくなるが、直管ランプ５ａによる被照射面の色の見え方も変わるおそれがある。しかし、補助光源６としてＬＥＤなど輝度は高いが光束は少ない光源を用いると、直射光が器具外部（特に下面）に出ても、被照射面の色の見え方を極力変えることなく照明器具の見た目の温熱感（輝度によるもの）を変えることができる。
【００２３】
この発明の第９の実施の形態を図９により説明する。すなわち、この照明器具は、第２の実施の形態と共通し、補助光源６の一部の直射光１０が矢印のように器具外部に出るようになっている点が異なる。
【００２４】
この発明の第１０の実施の形態を図１０により説明する。すなわち、この照明器具は、第７の実施の形態と共通し、補助光源６からの一部の直射光１０が矢印のように器具外部に照射し、離れたところから照明器具を観測する人が視認できるように照射している。
【００２５】
第９および第１０の実施の形態は第８の実施の形態と同様の作用効果がある。
【００２６】
この発明の第１１の実施の形態を図１１により説明する。すなわち、この照明方法は、第１から第１０の実施の形態の照明器具を用いた店舗内の照明方法であり、床面１１に各種商品１２を陳列し、天井１３に上記照明器具１４を設置している。各種の商品は照明器具１４の主光源により必要な明るさに照明され、補助光源６がない場合と変わらない。一方消費者には、補助光源６により照明器具１４の反射板およびルーバに照射する光の色によって、また補助光源６からの一部の直射光の色によって照明器具１４が色付いて見える。この色を変えることによって消費者が感じる店舗内の雰囲気が変わる。例えば赤色の場合暖かみを感じ、青色の場合涼しさを感じる。この結果、商品の色は通常と変わりなくしっかり見えながら、店舗空間の雰囲気は任意に変えることができ、これにより季節や時間帯による雰囲気設定の自由度が増すこととなる。
【００２７】
この発明の第１２の実施の形態を図１２により説明する。すなわち、この照明方法は、第１から第１０の実施の形態の照明器具を用いたオフィス内の照明方法であり、床面１１にデスク１５および椅子１６が配置され、天井１３に照明器具１４が設置されている。照明器具１４の主光源でデスク１５の作業面を通常しっかり照明し、書類の色を忠実に見せるなど視作業に支障なく照明される。一方消費者には補助光源６により照明器具１４の反射板およびルーバが色付いて見え、あるいは補助光源６の直射光の色によって色付いて見える。したがって、色が変化することにより消費者が感じるオフィス内の雰囲気が変わる。これによって作業面の色はしっかり見えながら、空間の雰囲気（温熱感）は任意に変えることができ、季節や時間帯による雰囲気設定の自由度を増すことができる。またオフィス空間の雰囲気は快適性のための要因となるので快適性を増すことにつながる。
【００２８】
なおこの発明において、補助光源例えばＬＥＤの装置を、発光色を変えられる構成にしてもよい。また補助光源の直射光の一部を照明器具外に照射する場合として、ＬＥＤなどの複数の補助光源の一部を照明器具外に向けるようにしてもよい。
【図面の簡単な説明】
【００２９】
【図１】この発明の第１の実施の形態の反射板付照明器具の概略断面図である。
【図２】第２の実施の形態の概略断面図である。
【図３】（ａ）は第３の実施の形態のルーバ付照明器具の概略断面図、（ｂ）はその断面図、（ｃ）は下から見た図である。
【図４】（ａ）は第４の実施の形態のルーバ付照明器具の概略断面図、（ｂ）はその断面図、（ｃ）は下から見た図である。
【図５】（ａ）は第５の実施の形態のルーバ付照明器具の概略断面図、（ｂ）はその断面図、（ｃ）は下から見た図である。
【図６】（ａ）は第６の実施の形態のルーバ付照明器具の概略断面図、（ｂ）はその断面図、（ｃ）は下から見た図である。
【図７】（ａ）は第７の実施の形態のダウンライトの概略断面図、（ｂ）は下から見た図である。
【図８】（ａ）は第８の実施の形態の概略断面図、（ｂ）はその断面図である。
【図９】（ａ）は第９の実施の形態の概略断面図、（ｂ）はその断面図である。
【図１０】（ａ）は第１０の実施の形態のダウンライトの概略断面図、（ｂ）は下から見た図である。
【図１１】第１１の実施の形態の照明方法の説明図である。
【図１２】第１２の実施の形態の照明方法の説明図である。
【符号の説明】
【００３０】
１    器具本体
１ａ    器具本体
４    反射板
５    直管ランプ
５ａ  片口金ランプ
６    補助光源
７    ルーバ
１０    直射光
１４    照明器具
【図１】
2006100055.tif 000003
【図２】
2006100055.tif 000004
【図３】
2006100055.tif 000005
【図４】
2006100055.tif 000006
【図５】
2006100055.tif 000007
【図６】
2006100055.tif 000008
【図７】
2006100055.tif 000009
【図８】
2006100055.tif 000010
【図９】
2006100055.tif 000011
【図１０】
2006100055.tif 000012
【図１１】
2006100055.tif 000013
【図１２】
2006100055.tif 000014